(57)【要約】  【課題】  簡単な構成で、前後の枠体を仕切りながら連結した組立式収納家具を提供する。  【解決手段】  ２つの枠体１ａ，１ｂを左右に配置された側板２と、地板４、天板５及びこれらの端部間を連結する端用連結部材６とにより構成し、前後に２つの枠体１ａ，１ｂにおける地板４同士及び天板５同士の間に連結金具７を跨がらせ、２つの枠体１ａ，１ｂの間を仕切る背板３の上下端部と連結金具７、７と、２つの枠体１ａ，１ｂにおける地板４及び天板５とをビス９ａ，９ｂを介して重ね固定する。一方の枠体１ａは、左右の側板２と地板４及び天板５とを予め組み立て形成してあり、他方の枠体１ｂは、前記左右の側板２、地板４及び天板５を連結時に組み立て形成する。  【選択図】  図５
2006149430.tif 000002
【特許請求の範囲】
【請求項１】
１つの枠体を左右に配置された側板と、地板及び天板とにより構成し、前記２つの枠体を少なくとも１枚の背板を介して区画し、且つ連結してなる組立式収納家具であって、前記両枠体における地板同士及び天板同士の間に連結金具を跨がらせ、前記背板の上下端部と前記連結金具と、前記一対の枠体における地板及び天板とを固定手段を介して重ね固定したことを特徴とする組立式収納家具。
【請求項２】
前記一方の枠体は、前記左右の側板と前記地板及び天板を予め組み立て形成してあり、他方の枠体は、前記左右の側板、地板及び天板を連結時に組み立て形成したことを特徴とする請求項１に記載の組立式収納家具。
【請求項３】
前記一方の枠体は、前記左右の側板と前記地板及び天板を予め組み立て形成してあり、他方の枠体は、前記左右の側板に対して地板また天板の何れか一方のみを予め組み立て形成したことを特徴とする請求項１に記載の組立式収納家具。
【発明の詳細な説明】
【技術分野】
【０００１】
本発明は、組立式収納家具（組立式キャビネット）の構成に係り、より詳しくは、左右に配置された側板と、地板及び天板とで構成した２つの枠体を前後に連結した組立式収納家具の構造に関するものである。
【背景技術】
【０００２】
従来から、組立式収納家具（組立式キャビネット）として、左右一対の側板と地板と天板とからなる枠体毎に組み立て、これらの枠体を連結金具を介して現地で前後若しくは左右に連結することにより完成できる組立式家具が、特許文献１や、特許文献２等で公知である。
【特許文献１】特開２００１−２９９４８１公報（図１、図２及び図４参照）
【特許文献２】特公平０７−１０２１６５号公報（図１及び図４参照）
【発明の開示】
【発明が解決しようとする課題】
【０００３】
しかしながら、特許文献１では、前後に連結した２つの枠体の間を縦方向に仕切る板が存在せず、２つの枠体を前後に連結することにより、奥行き寸法の大きい家具を完成させるだけであった。
【０００４】
他方、特許文献２では、左右に連結した２つの枠体の隣接する側板が２枚になり、このように連結したときの一方の側板が余分な部品となり、重量が大きくなったり、間口寸法が大きくなるという問題があった。
【０００５】
本発明は、これらの課題を解消し、部材の共通化により部品点数の削減を図り、製造や在庫管理も効率化できる組立式収納家具の提供を目的とするものである。
【課題を解決するための手段】
【０００６】
前記目的を達成するために、請求項１に記載の発明の組立式収納家具は、１つの枠体を左右に配置された側板と、地板及び天板とにより構成し、前記２つの枠体を少なくとも１枚の背板を介して区画し、且つ連結してなる組立式収納家具であって、前記両枠体における地板同士及び天板同士の間に連結金具を跨がらせ、前記背板の上下端部と前記連結金具と、前記一対の枠体における地板及び天板とを固定手段を介して重ね固定したものである。
【０００７】
請求項２に記載の発明は、請求項１に記載の組立式収納家具において、前記一方の枠体は、前記左右の側板と前記地板及び天板を予め組み立て形成してあり、他方の枠体は、前記左右の側板、地板及び天板を連結時に組み立て形成したものである。
【０００８】
請求項３に記載の発明は、請求項１に記載の組立式収納家具において、前記一方の枠体は、前記左右の側板と前記地板及び天板を予め組み立て形成してあり、他方の枠体は、前記左右の側板に対して地板また天板の何れか一方のみを予め組み立て形成したものである。
【発明の効果】
【０００９】
請求項１に記載の発明によれば、連結金具は前後の枠体に対して内面側で跨いだ状態であり、且つ背板は１枚だけであるから、２つの枠体の奥行き寸法が増大しないし、部品点数も少なくて済む。また、各枠体の側板、天板、地板の各部品を共通化することができるという効果を奏する。
【００１０】
請求項２に記載の発明によれば、左右の側板と地板及び天板を予め組み立て形成した、前後の枠体を、１枚の背板と上下の連結金具とを介して簡単に連結できる。
【００１１】
請求項３に記載の発明によれば、他方の枠体はばらした状態で組み立てることができるという効果を奏する。
【発明を実施するための最良の形態】
【００１２】
以下、本発明を具体化した実施の形態について図面に基づいて説明する。図１は、２つの枠体を前後に連結した状態を示す組立式収納家具の斜視図、図２は天板、地板、側板、端用連結部材の各部品の斜視図、図３は予め組み立てられた一方の枠体に対して、他方の枠体を連結する状態を示す斜視図、図４は連結作業を示す側断面図、図５は要部拡大断面図である。
【００１３】
図１及び図２に示すように、本発明に係る組立式収納家具は前後２つの枠体１ａ、１ｂを、上下の連結金具７、７と、後述するビス等の固定手段９を介して連結したものである。枠体１ａ、１ｂは、左右に配置された側板２、２と、地板４及び天板５とを互いに直交するように、端用連結部材６を介して着脱自在に連結され、この各枠体１ａ、１ｂで囲まれる空間を収納空間としたものである。
【００１４】
本実施形態では、側板２、地板４及び天板５は薄い金属板を折り曲げるなどして平面視矩形状に形成されており、各板２〜４の幅寸法Ｄは収納家具１の奥行き寸法Ｄ（図２参照）と同じに設定されている。また、端用連結部材６は、環境に配慮したオレフィン系のＰＥＴ樹脂（ポリエチレンテレフタレート）、ＡＢＳ樹脂、アルミダイカスト等からなる一体成形品であり、端用連結部材６の長さ寸法も収納家具１の奥行き寸法Ｄと同じに設定されている。地板４及び天板５の長さ寸法Ｗは、枠体１ａ，１ｂの間口方向寸法Ｗと略等しく（若干短く）設定される（図２参照）。側板２の長さ寸法Ｈは、枠体１ａ，１ｂの高さ寸法Ｈに略等しく（若干短く）形成される。
【００１５】
側板２の基本形は、図２に示すが、側板２の外面を構成する広幅の平板１０の上下方向に沿って伸びる前後縁片を内方向へ断面コ字状に折り曲げた屈曲部１０ａを設ける。平板１０の内面前後縁にスポット溶接して固定する金属板製の前後端補強枠材１３と前記屈曲部１０ａとにより、平板１０の上下方向に沿って延び、且つ略Ｌ字状で中空の嵌合部である前端段部１１と後端段部１２とが形成される。
【００１６】
即ち、平板１０の上下方向に沿って延び、断面Ｌ字状に屈曲された高さ寸法（Ｌ１）の低い端部１４が前記屈曲部１０ａに添設され、前記端部１４の奥側（収納家具１の奥行き方向の内方）にて高さ寸法（Ｌ２）の大きい段付部１５が折り曲げ形成されて、前端段部１１と後端段部１２とが形成される。高さの低い端部１４の奥行き寸法はＤ１となっている。
【００１７】
また、前記平板１０の内面の略中央部には、収納家具１の奥行き方向に長い断面コ字状の中央補強枠１６を収納家具１の高さ方向に伸びるように添設してスポット溶接にて固定し、該中央補強枠１６と平板１０とで囲まれた中空状の中央嵌合部１７が構成されている。
【００１８】
この側板２は、前後端段部１１、１２も同じ寸法であり、収納家具１の奥行き方向に対称形状であるので、事実上、上下左右両側の部分に共用できるものである。
【００１９】
地板４及び天板５の基本形は、それぞれ広幅の平板１０の前後側縁に沿って断面略Ｌ字状の前後端段部１１、１２が形成されている。この前端段部１１と後端段部１２は前記端用連結部材６の一部が嵌まり込むよう中空状の端嵌合部に形成されるものであって、補強部と兼用される。すなわち、側板２、地板４及び天板５の外面を構成する平板１０の間口方向に沿って延びる前後端縁片を内方向に断面コ字状に折り曲げた屈曲部１０ａを設ける。他方、平板１０の内面にスポット溶接して固定する金属板製の前後端補強枠１３は平板１０の間口方向に沿って延び、断面Ｌ字状に屈曲された高さ寸法（Ｌ１）の低い端部１４が前記屈曲部１０ａに添設され、前記端部１４の奥側（収納家具１の奥行き側の内方）にて高さ寸法（Ｌ２）の大きい段付部１５が折り曲げ形成されている。従って、前端段部１１と後端段部１２には略Ｌ字状で中空の嵌合部が形成される。低い端部１４の奥行き寸法はＤ１となっている。
【００２０】
また、前記平板１０の内面の略中央部には、家具の奥行き方向に長いコ字状の中央補強枠１６を家具の間口方向に延びるように添設してスポット溶接にて固定し、該中央補強枠１６と平板１０とで囲まれた中空状の中央嵌合部１７を構成する。地板４及び天板５は同一形状であり、且つ前後端段部１１、１２も同じ寸法であり、収納家具１の奥行き方向にも対称形状であるので、上下左右に反転させて共用することもできる。
【００２１】
なお、地板４には、中央嵌合部１７と段付部１５との間に形成されている凹所を覆うように図示しない取付枠を後から嵌め込んで、地板４の上面を平坦化することもできる。
【００２２】
端用連結部材６には、図２及び図３に示すように、断面略矩形の基体３０がＤの長さを有して奥行き方向に延びている。基体３０の前後両端部には、それぞれ第１端嵌入片３１ａ、３１ｂと、第２端嵌入片３２ａ、３２ｂと、中央嵌入片３３ａ、３３ｂとが互いに直交する方向に突出するように設けられている。
【００２３】
断面Ｌ字状の第２端嵌入片３２ａ、３２ｂは地板４及び天板５における前後端の断面Ｌ字状で中空の嵌合部を有する前端段部１１と後端段部１２にそれぞれ左右方向（間口方向）から嵌入できるものである。
【００２４】
断面Ｌ字状の第１端嵌入片３１ａ、３１ｂは側板２における前後端の略Ｌ字状で中空の嵌合部を有する前端段部１１と後端段部１２にそれぞれ嵌入できるものである。
【００２５】
中央嵌入片３３ｂは、地板４及び天板５における中央嵌合部１７に対して横方向からきっちりと嵌入できるものであり、他方の中央嵌入片３３ａは側板２における中央嵌合部１７に対して上下方向からきっちり嵌入できるものである。
【００２６】
枠体を組み立てるには、図２に示すように、側板２の上下位置において、地板４及び天板５とを組むため、地板４及び天板５における間口方向の両側に、端用連結部材６を奥行き方向に基体３０が延びるように並べる。次いで、端用連結部材６の横向きの第２端嵌入片３２ａ、３２ｂを地板４及び天板５における前後端の略Ｌ字状で中空の嵌合部を有する前端段部１１と後端段部１２にそれぞれ横方向（間口方向）から嵌入するとともに、中央嵌入片３３ｂを地板４及び天板５における中央嵌合部１７に対してそれぞれ横方向から嵌入する。
【００２７】
次いで、地板４における両側の端用連結部材６では、それぞれ上向きの各第１端嵌入片３１ａ、３１ｂに対して、側板２における前端縁部１１と後端縁部１２の下側の嵌合部を嵌合し、同様に上向きの中央嵌入片３３ａに対して側板２における中央嵌合部１７の下側を嵌合させる。また、天板５における両側の端用連結部材６では、それぞれ下向きの各第１端嵌入片３１ａ、３１ｂに対して、側板２における前端縁部１１と後端縁部１２の上側の嵌合部を嵌合し、同様に下向きの中央嵌入片３３ａに対して側板２における中央嵌合部１７の上側を嵌合させる。
【００２８】
このようにして、側板２、２、地板４、天板５を端用連結部材６により組み立てた後、締着ネジ（図示していない）にて、側板２、地板４、天板５の各中央補強枠１６と中央嵌入片３３ｂとを固定する。
【００２９】
次に、１枚の背板３と上下一対の連結金具７、７とを介して、上記両枠体１ａ，１ｂを背中合わせにして連結する構成について説明する。連結金具７は、天板５及び地板４の間口方向の寸法Ｗより短い平板７ａの両端に断面Ｌ字状の接続部７ｂ，７ｃが平板７ａの全長にわたって屈曲形成されている（図３〜図５参照）。平板７ａの幅寸法Ｄ２は、天板５及び地板４における後端段部１２の前記低い端部１４の奥行き寸法Ｄ１の２倍の寸法を有する。そして、接続部７ｂ，７ｃは高い段突き部１５に被さるように形成されている。
【００３０】
背板３は、その平板３ａの上端を水平に折曲げて、前記低い端部１４と略同じの奥行き寸法Ｄ１を有する平坦部３ｂと、この平坦部３ｂから断面Ｌ字状に屈曲させて、接続部７ｂまたは接続部７ｃに被さる当接部３ｃとを有する。平板３ａの下端も水平に折曲げて、前記低い端部１４と略同じの奥行き寸法Ｄ１を有する平坦部３ｂと、前記接続部７ｂまたは接続部７ｃと共に高さの高い段突き部１５に被さる断面下向きコ字型の当接部３ｄとを有する。
【００３１】
上記の構成において、一方の枠体１ａは、図３に示すように、左右一対の側板２、２と地板４、天板５とを端用連結部材６を介して予め矩形中空枠状に形成しておく。そして、この枠体１ａの後端側の開口部分のうち、地板４及び天板５の後端段部１２に対して、上下連結金具７の平板７ａの幅方向の半分を当接させ、次いで、背板３の下端の当接部３ｄを連結金具７の一方の接続部７ｂ及び段突き部１５に被せる（図５参照）。すると、背板３の上端の平坦部３ｂは上方の連結金具７の平板７ａを挟み、且つ当接部３ｃは、上方の連結金具７の接続部７ｂ及び段突き部１５を覆う状態で、背板３が仮に立設できる。
【００３２】
この状態で枠体１ａの内側から固定手段としてのビス９ａで、背板３の下端の当接部３ｄ、接続部７ｂ及び段突き部１５の三者を締着する。背板３の上端の当接部３ｃと接続部７ｂ及び段突き部１５の三者を締着する（図５参照）。なお、背板３の下端の当接部３ｄは下向きコ字型で段突き部１５にきっちりと嵌まる場合は、ビス９ａ締着を省略しても良い。
【００３３】
上記の状態では、上下の連結金具７、７の平板７ａの幅方向の半分及び他方の接続部７ｃが、一方の枠体１ａの背面から突出しているので、これに、他方の枠体１ｂを構成する地板４及び天板５の後端段部１２を重ねて、上述と同様に、ビス９ｂで接続部７ｃと段突き部１５とを二者締結するのである。その後、地板４及び天板５に対して、端用連結部材６を介して側板２、２を連結して、他方の枠体１ｂを組み立てれば良い。
【００３４】
このようにして連結すると、連結金具７、７は前後の枠体１ａ，１ｂに対して内面側で跨いだ状態であり、且つ背板３は１枚だけであるから、２つの枠体の奥行き寸法が増大しないし、部品点数も少なくて済む。また、各枠体１ａ，１ｂの側板２、天板５、地板４並びに端用連結部材６の各部品を共通化することができるという効果を奏する。
【００３５】
他の実施形態として、予め、前述のように、一方の枠体１ａに上下の連結金具７、７及び背板３を固定しておく。他方の枠体１ｂにおける左右一対の側板２，２に対して天板５または地板４のといずれか一方のみを端用連結部材６を介して組み立て、枠体１ｂをコ字型に仮枠形成し、この状態で、他方の枠体１ｂにおける組み立て前の天板５または地板４に連結金具７を固定手段（ビス９ｂ等）て固定し、この天板５（または地板４）の左右両側端に端用連結部材６を連結し、さらにこの端用連結部材６を前記コ字型の仮枠の左右の側板２、２の下端に嵌合する。このようにして、２つの枠体１ａ，１ｂを背中合わせ状に連結することができるのである。
【００３６】
なお、各枠体１ａ，１ｂ内の収納空間を棚板にて上下に仕切り、この仕切られた収納空間の前面に、棚板の前端縁部を利用して抽斗の鏡板や、開閉扉、引き戸を取り付けることができるものである。また、本発明では、前記端用連結部材６を使用しないで枠体を構成しても良い。
【００３７】
上述の説明では、１組の側板２，２と、各１枚の地板４、天板５で構成された枠体について説明したが、本発明は、左右に配置する側板２，２と、これら側板２，２の間に配置する１または複数の中側板（図示せず）と、複数の地板４及び天板５とを互いに直交するように端用連結部材６及び増連用連結部材（図示せず）とを用いて枠体を左右に増連した場合にも適用できる。
【図面の簡単な説明】
【００３８】
【図１】本発明の組立式収納家具の斜視図である。
【図２】天板、地板、側板、端用連結部材の各部品の斜視図である。
【図３】予め組み立てられた一方の枠体に対して、他方の枠体を連結する状態を示す斜視図である。
【図４】連結作業を示す側断面図である。
【図５】要部拡大断面図である。
【符号の説明】
【００３９】
１ａ、１ｂ    枠体
２      側板
３      背板
４      地板
５      天板
６      端用連結部材
７      連結金具
９ａ，９ｂ    固定手段としてのビス
１０    平板
１０ａ  屈曲部
１１    前端段部
１２    後端段部
１３    前後端補強枠
１４    端部
１５    段付部
１６    中央補強枠
１７    中央嵌合部
３０    基体
３１ａ、３１ｂ    第１端嵌入片
３２ａ、３２ｂ    第２端嵌入片
３３ａ、３３ｂ    中央嵌入片
【図１】
2006149430.tif 000003
【図２】
2006149430.tif 000004
【図３】
2006149430.tif 000005
【図４】
2006149430.tif 000006
【図５】
2006149430.tif 000007